(57)【要約】      （修正有）【課題】容器の断熱性が良好でありかつ外観性に優れ、そのうえ、製造が比較的に簡易である断熱容器を提供する。【解決手段】そのほぼ筒形の収容空間を画成し、上方が開口した有底胴体２と、胴体に嵌合した外筒３とからなった二重構造をした断熱容器１において、外筒の壁部３０は、胴体の外周面と隙間をあけた複数の縦向きのスロット３１が、互いに所定の間隔をおいてその底面が外周向きに突き出て形成され、スロットのそれぞれは、少なくとも一端が開口している。【選択図】図１
0003134016.tif 000002
【実用新案登録請求の範囲】
【請求項１】
そのほぼ筒形の収容空間を画成し、上方が開口した有底胴体と、前記胴体に嵌合した外筒とからなった二重構造をした断熱容器であって、
前記外筒の壁部は、前記胴体の外周面と隙間をあけた複数の縦向きのスロットが、互いに所定の間隔をおいてそれぞれの底面が外周向きに突き出て形成され、
前記スロットのそれぞれは、少なくとも一端が開口していることを特徴とする断熱容器。
【請求項２】
前記スロットの底面の横幅を、前記胴体外周面と接する前記壁部の接触面の幅よりも大きくすることを特徴とする請求項１に記載の断熱容器。
【請求項３】
前記スロットの両側面を、Ｖ字形に向斜させたことを特徴とする請求項１又は２に記載の断熱容器。
【請求項４】
前記複数のスロットは、下端は閉じて上端のみが開口するように形成され、
前記壁部の前記胴体外周面と接する内周面を前記胴体外周面に貼着けることを特徴とする請求項１に記載の断熱容器。
【請求項５】
前記複数のスロットに、上下両端が開口し、前記外筒の壁部の前記胴体外周面と接する内周面を前記胴体外面に貼着けることを特徴とする請求項１に記載の断熱容器。
【請求項６】
前記外筒の外面にパターンを形成した装飾層を設けていることを特徴とする請求項１に記載の断熱容器。
【考案の詳細な説明】
【技術分野】
【０００１】
本考案は、手で長く持てる断熱容器に関する。
【背景技術】
【０００２】
従来から使い捨て容器でホットコーヒーなどの熱い飲料やスープ入りカップ麺を入れた状態でも手で持てるように断熱機能を付与する目的で、あるいは容器の剛性の向上、すべり防止等、また、環境保全の立場から、使用後容器の廃棄処理がしやすい紙を主体とする断熱性カップ状容器においては、図７、８に示すように、外面５１１に環状リブ５１３、５１３、・・・を突設したカップ形の本体５１の外側に、展開した形が扇形をした外筒５２でくるんで複数の空気層５１４、５１４、・・・を形成した断熱容器５、または、図９、１０に示すように、本体６１の外周面６１１に展開した形が扇形の段ボール紙などを用いて外側に波状凸部６２２を設けた外筒６２を貼った断熱容器６などが使われていた。
【考案の開示】
【考案が解決しようとする課題】
【０００３】
しかしながら、上述した従来の断熱性カップ容器においては、前者のカップ容器５については、複数の環状リブ５１３と外筒５２とから複数の空気層５１４、５１４、・・・により断熱機能を付与しようとするが、内容物の熱が空気層５１４、５１４、・・・に伝わり、空気層５１４にこもってしまうので空気層５１４が熱くなり易く、やはり手で断熱性カップ容器を長くは持つことが困難である。また、空気層５１４の数は、カバー５２の本体５１への貼着面積により制限され、設計の自由度が低い問題がある。
【０００４】
また、後者のカップ容器６については、波状表面を有する外筒６２としては一般的には、断熱機能とすべり防止機能を付与することができるが、商品に係る絵柄や文字を容器外面の波状表面に印刷したときに、波状表面が粗面であるために印刷が難しく、商品外観の美粧性が損なわれる問題もある。また、外筒６２の背面に容器本体６１への接合シート６２１を設けなければならないため、製造のコストを増してしまう問題点もある。
【０００５】
本考案は、手で持ったときの容器の断熱性が良好であり、また、外観性に優れ、その上、製造が比較的に簡易である断熱容器を提供しようとすることを目的とする。
【課題を解決するための手段】
【０００６】
前記目的を達成すべく、本考案は、そのほぼ筒形の収容空間を画成し、上方が開口した有底胴体と、前記胴体に嵌合した外筒とからなった二重構造をした断熱容器において、前記外筒の壁部は、前記胴体の外周面と隙間をあけた複数の縦向きのスロットが、互いに所定の間隔をおいてその底面が外周向きに突き出て形成され、前記スロットのそれぞれは、少なくとも一端が開口していることを特徴とする断熱容器を提供しようとする。
【０００７】
前記断熱容器は、前記スロットの底面の横幅を、前記間隔とした本体外周面と接する前記壁部の接触面の幅よりも大きくすることが好ましい。
【０００８】
前記断熱容器は、前記スロットの両側面をＶ字形に向斜させるようにすることが好ましい。
【０００９】
前記断熱容器は、前記複数のスロットの下端を閉じて、上端のみが開口するように形成されてもよく、また、上下両端が開口してもよい。前記スロットの上端が開口した場合、下端面下方の前記壁部の前記胴体と接する内周面を前記胴体外周面に貼着け、又は、前記前記スロットのそれぞれが両端開口を有するように形成された場合は、前記外筒の壁部の前記胴体外周面と接する内周面を前記胴体外面に貼着けてもよい。
【００１０】
また、前記外筒の外面にパターンを形成した装飾層を設けてもよい。
【考案の効果】
【００１１】
本考案の断熱容器によれば、胴体外周面と複数のスロットとから形成された隙間が空気層となり、断熱機能を付与することができ、スロットの少なくとも片端が開口して、内容物の熱が空気層をへて外へ逸散にされ易く、熱がこもり難く、手で長く持つことができる。本考案の断熱容器によれば、紙材を一枚でプレス成形することができるので、製造が簡易になる。紙材の表面への印刷も容易になるので、外観性がよい容器を提供することができる。
【考案を実施するための最良の形態】
【００１２】
以下、図面を参照しつつ本考案の実施の形態について説明する。なお、説明を簡単にするため、各図の対応する部位には同じ符号を付している。
【００１３】
図１は、本考案の一実施形態の断熱容器の分解斜視図、図２は、図１の断熱容器の縦断面図、図３は図２のIII-III線の横断面図である。
【００１４】
本考案の断熱容器１は、図１に示すように、上方が開口したほぼ筒形の有底胴体２と、胴体２に嵌合した外筒３とからなった二重構造をした例えばカップ容器である。
【００１５】
胴体２は、軸線Ｌを中心としてほぼ筒形をした環状周壁２２がカップ空間２４を画成し、その上方開口周縁が外側にカールした口縁部２１を有し、周壁２２の下端２３は環状隙間を有するように内側及び上方に折り曲げられている。底受け部４の周縁部は、胴体２の内部の下側において胴体２の下端２３の環状隙間に嵌め込まれ、下端２３と底受け部４の嵌入周縁部とを接着固定して胴体２の下部を形成している。
【００１６】
外筒３は、胴体２に嵌合した環状壁部３０を有し、環状壁部３０に、胴体２の周壁２２外周面と隙間をあけた複数の縦向きスロット３１、３１、…が、下部３３を除いて胴体２外周面と接する接触面３２、３２、・・・を間隔として、それぞれの底面３１１が外周向きに突き出て形成されている。スロット３１、３１、・・・のそれぞれは、この例では一端が外部に流通できるように胴体２のカールした口縁部２１と離間して開口している。下部３３の胴体２外周面と接する内周面を胴体２の外周面に貼付けている。
【００１７】
なお、断熱容器１としては、胴体２、外筒３、底受け部４を例えば断熱機能を有するように硬質紙材やプラスチック材により製造することができる。
【００１８】
また、本考案の断熱容器１は、スロット３１の底面３１１の横幅を接触面３２の幅よりも大きくし、両側面３１２、３１２をＶ字形に向斜させるようにすることが好ましい。
【００１９】
上記のように、本考案の断熱容器１は、スロット３１、３１、・・・の下端の端面３１３において閉じて、上端のみが口縁部２１から離間して開口し、複数の縦向きのスロット３１、３１、・・・が空気層となり、熱が空気層を経て外部へ拡散され易くかつ熱がこもり難いので、外筒３を手で長く持つことができる。本考案の断熱容器は、紙材を一枚でプレス成形することができるので、製造が簡易になる。
【００２０】
図１から図３の断熱容器１では、外筒３の下部３３を除いて形成した縦向きの有底型のスロット３１、３１、・・・が複数並列されているが、図４、５のように上下２端が開口した貫通型のスロット３１、３１、・・・が複数並列されてもよい。外筒３は、縦向きのスロット３１、３１、・・・の間の胴体２外周面と接する接触面３２、３２、・・・により、胴体２の外周面に貼り付けられている。
【００２１】
このように、スロット３１、３１、・・・の両端が開口しているので、外部への流通性をより一層高め、熱がこもらず、断熱性に優れた断熱容器を得ることができる。
【００２２】
上記のように、本考案の断熱容器は、紙材を一枚でプレス成形することができるので、紙材の表面への印刷も容易になり外観性の優れた容器が得られる。
【００２３】
この断熱容器は、図６のように、外筒３の外壁に、印刷などによりパターン５０を形成した装飾層５が設けられている。これによって容器の外面に絵柄、表示を設け易い。
【００２４】
以上のように、本考案の断熱容器によれば、胴体外に嵌合した外筒に縦向きのスロットが複数並列され、それぞれのスロットの一端又は両端が開口し、外部への流通性を向上させることによって熱がこもらない故、本考案の断熱容器を手で長く持つことが出来る。
【産業上の利用可能性】
【００２５】
本発明のカップ状容器は、一端または２端が開口したスロットが並列されて外部への流通性を高めるので、熱い飲食物を食する使い捨てカップとして利用可能である。
【図面の簡単な説明】
【００２６】
【図１】本考案の一実施形態の断熱容器の分解斜視図である。
【図２】図１の断熱容器の縦断面図である。
【図３】図２のIII-III線の横断面図である。
【図４】本考案の他の実施形態の断熱容器の分解斜視図。
【図５】図４の断熱容器の縦断面図である。
【図６】図１の断熱容器の他の形態例を示す斜視図である。
【図７】従来例の断熱カップを示す分解斜視図である。
【図８】図７のカップの縦断面図である。
【図９】他の従来例の断熱カップを示す分解斜視図である。
【図１０】図９のカップを示す横断面図である。
【符号の説明】
【００２７】
１…断熱容器
２…胴体
２１…口縁部
２２…周壁
２３…下端
２４…空間
３…外筒
３０…壁部
３１…スロット
３１１…底面
３１２…側面
３１３…端面
３２…接触面
３３…下部
４…底受け部
５…装飾層
５０…パターン
【図１】
0003134016.tif 000003
【図２】
0003134016.tif 000004
【図３】
0003134016.tif 000005
【図４】
0003134016.tif 000006
【図５】
0003134016.tif 000007
【図６】
0003134016.tif 000008
【図７】
0003134016.tif 000009
【図８】
0003134016.tif 000010
【図９】
0003134016.tif 000011
【図１０】
0003134016.tif 000012